(57)【要約】      （修正有）【課題】モバイルデバイス写真撮影スキャンに対応する位置決め調整装置を提供する。【解決手段】モバイルデバイス写真撮影スキャンに対応する位置決め調整装置１００は本体１と昇降ユニット３を有する。スキャンを待つ物件１１０は本体１上に置かれ、モバイルデバイス２００は昇降ユニット３の搭載台上に置かれ、昇降ユニット３に従い昇降し、これによりモバイルデバイス２００とスキャンを待つ物件１１０は適当な写真撮影距離を隔て、しかもドキュメントのスキャン後はそのままシュレッダー処理できる。無線信号伝送の方式によりモバイルデバイス２００による写真撮影或いはスキャンを行い、使用者の各種スキャンニーズに応えることができる。【選択図】図１
0003215405.tif 000002
【実用新案登録請求の範囲】
【請求項１】
モバイルデバイス写真撮影スキャンに対応する位置決め調整装置であって、本体、昇降ユニットを有し、
前記本体の頂面上には、スキャンを待つ物件を置くことができ、
前記昇降ユニットは、スタンドポール、昇降プラットホーム、昇降機構を有し、
前記スタンドポールは、前記本体の長さ方向の片側に固定し、前記スタンドポールの一部分は、前記本体の頂面より高く、
前記昇降プラットホームは、前記本体の頂面の上に位置し、少なくともスライドフレーム、連接アームと搭載台により構成され、前記連接アームは、前記スライドフレームと前記搭載台の間に連接し、前記スライドフレームは、前記スタンドポールを嵌め入れ、前記搭載台には、窓部を開設し、モバイルデバイスは、前記搭載台の上に置き、前記モバイルデバイスは、少なくとも撮影レンズを配備し、前記撮影レンズは、前記窓部に対応し、
前記昇降機構は、ラックギアギア式昇降機構で、前記スライドフレームは、前記昇降機構により、前記スタンドポールに沿って上下移動し、前記昇降機構のラックギアは、前記スタンドポールの片側面上に設置され、前記昇降機構のギアシャフトは、前記スライドフレーム内に固定して設置され、ラックギアに噛み合い、
前記ギアシャフトが回されると、前記スライドフレームはギアシャフトに従い、ラックギアに沿って移動することを特徴とするモバイルデバイス写真撮影スキャンに対応する位置決め調整装置。
【請求項２】
前記スキャンを待つ物件は、紙、ドキュメント、物品であることを特徴とする請求項１に記載のモバイルデバイス写真撮影スキャンに対応する位置決め調整装置。
【請求項３】
前記頂面上にさらに２個のストップバーを設置し、
前記２個のストップバーは、前記本体の長さ方向に沿って対応設置を呈し、２個のストップバーは、前記本体の対応する両側縁に接近し、
前記２個のストップバーの間は、スキャンを待つ物件セッットエリアであることを特徴とする請求項１に記載のモバイルデバイス写真撮影スキャンに対応する位置決め調整装置。
【請求項４】
前記ギアシャフトの軸心は、連接ダイヤルであることを特徴とする請求項１に記載のモバイルデバイス写真撮影スキャンに対応する位置決め調整装置。
【請求項５】
前記連接アームと搭載台は、一体成形で、しかも前記連接アームは、Ｌ型を呈し、前記連接アームの垂直部は、前記スライドフレーム上に固定され、前記連接アームの水平部は、前記搭載台の辺縁から前記スタンドポール方向へと水平に延伸して設置されることを特徴とする請求項１に記載のモバイルデバイス写真撮影スキャンに対応する位置決め調整装置。
【請求項６】
前記搭載台の辺縁には、枠縁を形成することを特徴とする請求項１に記載のモバイルデバイス写真撮影スキャンに対応する位置決め調整装置。
【請求項７】
前記モバイルデバイス写真撮影スキャンに対応する位置決め調整装置は透明板をさらに有し、
前記透明板は、前記搭載台の上に設置され、前記枠縁に制限されることを特徴とする請求項６に記載のモバイルデバイス写真撮影スキャンに対応する位置決め調整装置。
【請求項８】
前記透明板の材質は、ガラス、プラスチック或いはアクリルであることを特徴とする請求項７に記載のモバイルデバイス写真撮影スキャンに対応する位置決め調整装置。
【請求項９】
前記スライドフレームは、対称の両側殼体を組み合わせて形成し、前記両側殼体中には、前記スタンドポールの外輪郭に対応した貫通部と前記ギアセットを収容するギア収容設置部を共同で形成し、
前記スライドフレームの、前記スタンドポールに対応する、ラックギアを設置する片側面には、凸部を形成し、半円形を呈し、
前記ギア収容設置部は、前記凸部内に位置することを特徴とする請求項１に記載のモバイルデバイス写真撮影スキャンに対応する位置決め調整装置。
【請求項１０】
前記頂面にはさらに導引口を設置し、
前記導引口は、前記スキャンを待つ物件と間隔を有し、前記頂面は、前記導引口の前記スキャンを待つ物件の片側或いは両側に対応し、さらに斜面を形成することを特徴とする請求項１に記載のモバイルデバイス写真撮影スキャンに対応する位置決め調整装置。
【請求項１１】
前記モバイルデバイス写真撮影スキャンに対応する位置決め調整装置は、さらにシュレッダーを設置し、
前記シュレッダーは、前記本体内に設置し、
前記シュレッダーの細断口はちょうど前記導引口に対応することを特徴とする請求項１０に記載のモバイルデバイス写真撮影スキャンに対応する位置決め調整装置。
【請求項１２】
前記モバイルデバイス写真撮影スキャンに対応する位置決め調整装置はさらに導引カバーを設置し、
前記導引カバーは、前記導引口の上を覆い、前記導引カバーは、前記スキャンを待つ物件の側に近接し開口を設置し、前記導引カバーは弧状部を有することを特徴とする請求項１１に記載のモバイルデバイス写真撮影スキャンに対応する位置決め調整装置。
【請求項１３】
前記モバイルデバイス写真撮影スキャンに対応する位置決め調整装置は、引き出し型細断紙收集箱をさらに有し、
前記引き出し型細断紙收集箱は、前記本体内に設置し、前記シュレッダーの紙アウトプット口の下方に位置することを特徴とする請求項１２に記載のモバイルデバイス写真撮影スキャンに対応する位置決め調整装置。
【請求項１４】
前記モバイルデバイス写真撮影スキャンに対応する位置決め調整装置は折り畳み可能な延伸板をさらに有し、
前記延伸板は、前記本体の片側に設置し、前記延伸板の展開時に、前記延伸板の頂面と前記本体の頂面とはフラットになり、前記延伸板の頂面には、前記２個の延伸ストップバーを設置し、前記２個の延伸ストップバーは、前記２個のストップバーに対応して設置されることを特徴とする請求項１に記載のモバイルデバイス写真撮影スキャンに対応する位置決め調整装置。
【請求項１５】
前記モバイルデバイス写真撮影スキャンに対応する位置決め調整装置は、トリガースイッチをさらに有し、
前記トリガースイッチの作動時には伝送方式を通して、写真撮影コマンドを、前記モバイルデバイスに発信し、
前記伝送方式は、有線伝送方式或いは無線伝送方式を含むことを特徴とする請求項１に記載のモバイルデバイス写真撮影スキャンに対応する位置決め調整装置。
【考案の詳細な説明】
【技術分野】
【０００１】
本考案は位置決め調整装置に関し、特にモバイルデバイスを搭載し、モバイルデバイスとスキャンを待つ物件の間の距離を調整でき、モバイルデバイスによる即時スキャン及びスキャン文書のデジタルイメージ品質の即時確認に便利で、しかもスキャン後にはそのままシュレッダー処理が行えるモバイルデバイス写真撮影スキャンに対応する位置決め調整装置に関する。
【背景技術】
【０００２】
イメージスキャナーとシュレッダーは、現代の仕事場には常備されている事務機器である。
中でも、イメージスキャナーは、写真、印刷文書、或いは手書き文書等画像、或いは物件をスキャンしデジタルイメージ化できる器材である。
けれども、スキャナーではスキャン完成時に、スキャンが成功したか否か、及びスキャン内容が完全に明晰であるか否かをスキャナー上で即時に確認することはできない。
そのため、ディスプレイを有するコンピューターに接続して確認する必要がある。
しかし、スキャナーの多くは、数台のコンピューターと共用し、或いは定点に配置されているため、使用者は文書をスキャンするためには、所在位置を離れ、所在位置から最も近いスキャナーまで移動し文書をスキャンしなければならない。
一方、文書をスキャンしたデジタルイメージが成功であるか否か或いは明晰であるか否かは、コンピューターを利用して確認する必要があるため、時間と労力の無駄で、作業効率が悪い。
【０００３】
現在スマートフォンは皆、撮影と撮影に用いられるカメラレンズを備えており、さらには、スキャン機能のアプリケーションプログラムを備えるものもある。
スマートフォンはカメラ或いはスキャン機能を備えてはいるが、実際に写真撮影或いはスキャンを行う時には、人が手で持つ方式で写真撮影を行わなければならない。
しかし、手で持つ際には揺れ動きの問題と無縁ではいられない。
特に、スマートフォンで数枚のドキュメントをスキャンする際には、スマートフォンと被スキャン物との間の距離の一致を保持できず、スキャンされたドキュメントの大きさがそれぞれ一定でないことで、スキャンの品質に影響を及ぼす。
そのため、撮影後に即時に確認でき、しかも大量の文書をスキャンする際に、各ドキュメントの画像の大きさと画像品質の一致を保持できる機能が求められている。
【０００４】
さらに、スキャナーは一定のコストがかかり、コスト以外にもスキャナーは一定の重量及び体積を有し、特にコンピューターと接続する必要があるため、運搬するには時間と労力がかかる。
しかも、スキャンが終わったドキュメントを、シュレッダーを使用して処理するなどの際には、ドキュメントをスキャナーから取り上げてシュレッダーに入れなければならないため、スキャン後直ちにシュレッダー処理を行うことはできず、人が行ったり来たりしなければならず、作業効率が悪い。
【考案の概要】
【考案が解決しようとする課題】
【０００５】
本考案の目的は、本体と昇降ユニットを有し、本体の頂面上には、スキャンを待つ物件を置くことができるモバイルデバイス写真撮影スキャンに対応する位置決め調整装置を提出することにある。
【課題を解決するための手段】
【０００６】
本考案によるモバイルデバイス写真撮影スキャンに対応する位置決め調整装置は、本体、昇降ユニットを有する。
該昇降ユニットは、スタンドポール、昇降プラットホーム及び昇降機構を有する。
該スタンドポールは、該本体の長さ方向の片側に固定し、該スタンドポールの一部分は、該本体の頂面より高いく、昇降プラットホームは、該本体の頂面の上に位置する。
該スタンドポールは、少なくともスライドフレーム、連接アームと搭載台により構成され、該連接アームは、該スライドフレームと該搭載台の間に連接する。
該スライドフレームは、該スタンドポールをその中に嵌め入れ、該搭載台には、窓部を開設し、モバイルデバイスは、該搭載台の上に置き、該モバイルデバイスは、少なくとも撮影レンズを配備し、該撮影レンズは、該窓部に対応する。
該昇降機構は、ラックギアギア式昇降機構で、該スライドフレームは、該昇降機構により、該スタンドポールに沿って上下移動し、該昇降機構のラックギアは、該スタンドポールの片側面上に設置される。
該昇降機構のギアシャフトは、該スライドフレーム内に固定して設置され、ラックギアに噛み合う。
【０００７】
本考案を通して、モバイルデバイスは搭載台上に置かれ、スキャンを待つ物件に対して写真撮影スキャンが行え、搭載台は完全な静止状態に保持されるため、揺れ動きが全く発生しない。
数枚のドキュメントをスキャンする時には、スマートフォンと被スキャン物の間の距離は一定に保持され、スキャンされたドキュメントの大きさ及びスキャン品質は安定し、しかも異なるサイズのドキュメントに応じて搭載台の、スキャンを待つ物件に対する距離を調整でき、大量のドキュメントのスキャン時に使用できる。
【０００８】
この他、本考案はさらにトリガースイッチを有する。
該トリガースイッチ作動時は、伝送方式により写真撮影コマンドをモバイルデバイスに伝送できる。
該伝送方式は、有線伝送方式或いは無線伝送方式を含み、該無線伝送方式は、ブルートゥース（登録商標）伝送或いはＷｉ-Ｆｉ（登録商標）伝送である。
これにより、使用者は無線でモバイルデバイスの機能を操作できる。
【考案の効果】
【０００９】
本考案のモバイルデバイス写真撮影スキャンに対応する位置決め調整装置は、コンパクトかつ軽量であるため、組み立てが簡単で、コストを低下させられ、しかもモバイルデバイスを使用するためコンピューターに接続する必要がない。
よって、持ち運びに便利で、しかもシュレッダーは本体内に収容設置され、スキャンが終わったドキュメントはシュレッダー処理にそのまま送ることもでき、ワンストップで、ドキュメントのスキャンと消去作業を完成させられる。
【図面の簡単な説明】
【００１０】
【図１】本考案によるモバイルデバイス写真撮影スキャンに対応する位置決め調整装置の立体模式図である。
【図２】本考案の昇降ユニットの分解模式図である。
【図３】本考案のスライドフレームとスタンドポールの模式図である。
【図４】本考案の導引口と導引カバーの模式図である。
【図５】本考案によるモバイルデバイス写真撮影スキャンに対応する位置決め調整装置の別の角度の立体模式図である。
【考案を実施するための形態】
【００１１】
（一実施形態）
本考案によるモバイルデバイス写真撮影スキャンに対応する位置決め調整装置の立体模式図である図１に示す通り、本考案のモバイルデバイス写真撮影スキャンに対応する位置決め調整装置１００は、本体１と昇降ユニット３を有する。
本体１は、内部に収容設置空間を有する物体で、好ましくは概ね立方体の型態を呈する。
【００１２】
本体１は、頂面１１を有する。
頂面上１１上には、スキャンを待つ物件１１０を置くことができる。
スキャンを待つ物件１１０は、紙、ドキュメント、物品或いは他のカメラでスキャンできる物件である。
本考案の実施形態では、Ａ４紙を実施形態とし、好ましくは、頂面１１は全部が平面、或いは一部がフラット面である。
【００１３】
頂面１１上にはさらに、２個のストップバー１１１を設置する。
２個のストップバー１１１は、本体１の長さ方向に沿って平行に対応して設置される。
２個のストップバー１１１は、本体１の対応する両側縁に接近し、２個のストップバー１１１の間は、スキャンを待つ物件セットエリアＡである。
本実施形態中では、２個のストップバー１１１の長さは、Ａ４紙より大きく、好ましくは２個のストップバー１１１の端は、本体の片側辺縁に位置するか近い。
【００１４】
図１に合わせて、本考案の昇降ユニットの分解模式図である図２に示す通り、昇降ユニット３は、スタンドポール３１、昇降プラットホーム３３及び昇降機構３５を有する。
スタンドポール３１は、本体１の長さ方向のどちらかの片側に固定され、スタンドポール３１の一部分は、本体１の頂面より高い。
【００１５】
昇降プラットホーム３３は、本体１の頂面の上に位置する。
昇降プラットホーム３３は、少なくともスライドフレーム３３１、連接アーム３３３、搭載台３３５により構成される。
連接アーム３３３は、スライドフレーム３３１と搭載台３３５の間に連接する。
スライドフレーム３３１は、スタンドポール３１を内部には嵌め入れ、これにより昇降機構３５はスタンドポール３１に沿って上下に移動する。
【００１６】
昇降機構３５は、ラックギアギア式昇降機構で、ラックギア３５１は、スタンドポール３１の片側面上に設置される。
好ましくは、ラックギア３５１は、スタンドポール３１の、本体１に対応しない片側面に設置される。
ギアシャフト３５３は、スライドフレーム３３１内に固定して設置され、ラックギア３５１に噛み合う。
これにより、ギアシャフト３５３が回されると、スライドフレーム３３１は、ギアシャフト３５３に従い、ラックギア３５１に沿って移動する。
ラックギア３５１は、スタンドポール３１上に直立して設置されるため、スライドフレーム３３１これに従い上下に移動する。
よって、連接アーム３３３と搭載台３３５は、スライドフレーム３３１と同期に昇降する。
【００１７】
好ましくは、ギアシャフト３５３の軸心棒はダイヤル３５５に連接し、ダイヤル３５５の設置を通して、使用者はさらに省力しながらギアシャフト３５３の回転を連動できる。
【００１８】
好ましくは、連接アーム３３３と搭載台３３５は、一体成形で、しかも連接アーム３３３は、Ｌ型を呈する。
連接アーム３３３の垂直部は、スライドフレーム３３１の片側上に固定され、連接アーム３３３の水平部は、搭載台３３５の辺縁から、スタンドポール３１方向へと水平に延伸して設置される。
好ましくは、リブ板３３４或いは複数のリブ板３３４をさらに有する。
リブ板３３４は、連接アーム３３３の下に設置され、連接アーム３３３の構造強度を強化する。
好ましくは、リブ板３３４は、概ねＬ型を呈する端角で、三角板或いは四辺形、或いは他の少なくともＬ型の幾何形状を備えるリブ板である。
【００１９】
モバイルデバイス２００は、搭載台３３５の上にセットされる。
搭載台３３５には、窓部３３５ａを開設する。
モバイルデバイス２００は、少なくとも撮影レンズ（図示なし）を配置し、撮影レンズは、窓部３３５ａとスキャンを待つ物件１１０に対面し、搭載台３３５の辺縁は、枠縁３３５ｂを形成する。
枠縁３３５ｂは、封鎖型、或いは封鎖型で図示の欠口を有する。
【００２０】
好ましくは、本考案は透明板３３７をさらに有する。
透明板３３７は、搭載台３３５の上に設置され、枠縁３３５ｂに制限され、透明板３３７が任意に偏移しないよう固定する。
透明板３３７の材質は、ガラス、プラスチック、アクリル或いは透明性或いは光透過性を備える材質である。
これにより、モバイルデバイス２００のカメラを利用する時、或いはａｐｐを起動してスキャンする時には、窓口３３５ａの設置を通して、撮影レンズは明晰しかも完全にスキャンを待つ物件の画像を取得し、画像をモバイルデバイス２００に即時表示し、使用者は即時に確認できる。
【００２１】
図２に合わせて、本考案のスライドフレームとスタンドポールの模式図である図３に示す通り、スライドフレーム３３１は、対称の両側殼体３３２を組み合わせて形成する。
両側殼体３３２中には、スタンドポール３１の外輪郭に対応した貫通部３３２ａとギアシャット３５３を収容するギア収容設置部を共同で形成する（図示なし）。
スライドフレーム３３１の、スタンドポール３１に対応する、ラックギア３５１を設置する片側面には、凸部３３２ｂを形成し、半円形を呈する。
ギア収容設置部は、凸部３３２ｂの内に位置する。
【００２２】
本考案の導引口と導引カバーの模式図である図４に示す通り、本体１の頂面１１にはさらに導引口１３を設置する。
導引口１３は、本体１の幅方向に沿って開設する。
導引口１３は、スキャンを待つ物件１１０と間隔を有し、しかも導引口１３は適当な長さを備え、これによりスキャンを待つ物件１１０を本体１の内部に進入させる。
頂面１１は、導引口１３の、スキャンを待つ物件１１０に対応するどちらかの片側或いは両側に、斜面１１Ａをさらに形成し、これによりスキャンを待つ物件１１０はさらに自然に、導引口１３内に進入できる。
【００２３】
本考案はさらに、シュレッダー（図示なし）を設置する。
シュレッダーは、本体１の中に設置され、シュレッダーの細断口はちょうど導引口１３に対応する。
【００２４】
本考案にはさらに、導引カバー１５を設置する。
導引カバー１５は、導引口１３の上を覆い、導引カバー１５は、スキャンを待つ物件１１０に近い片側に、開口１５１を設置する。
導引カバー１５は、弧状部を有するカバーケースで、カバーケースの弧状部の輪郭により、スキャンを待つ物件１１０を導引し、導引口に進入させる。
【００２５】
本考案の別の角度の立体模式図である図５に示す通り、本考案は引き出し型細断紙収集箱４をさらに有する。
引き出し型細断紙収集箱４は、本体１内に設置し、シュレッダーの紙アウトプット口の下方に位置する。
【００２６】
図５に示す通り、本考案は折り畳み可能な延伸板５をさらに有する。
延伸板５は、折り畳み可方式で、本体１の片側に設置する。
延伸板５の展開時、延伸板５の頂面と本体１の頂面とはフラットになり、延伸板５の頂面には、２個の延伸ストップバー５１を設置する。
２個の延伸ストップバー５１は、２個のストップバー１１１に対応して設置し、好ましくは、２個の延伸ストップバー５１と２個のストップバー１１１は、線性設置関係を共同で構成する。
延伸板５を展開すると、本体１の搭載面積は拡大し、Ａ３、Ａ２Ｃ或いはさらに大きなサイズの紙或いは物品などの大きなサイズのスキャンを待つ物件１１０を置くことができる。
【００２７】
図５に示す通り、本考案はさらにトリガースイッチ６を有する。
トリガースイッチ６の作動時には、伝送方式を通して、写真撮影コマンドを、モバイルデバイス２００に発信する。
伝送方式は、有線伝送方式或いは無線伝送方式を含み、無線伝送方式は、ブルートゥース（登録商標）伝送或いはＷｉ-Ｆｉ（登録商標）伝送である。
【００２８】
前述した本考案の実施形態は本考案を限定するものではなく、よって、本考案により保護される範囲は後述される実用新案登録請求の範囲を基準とする。
【符号の説明】
【００２９】
１００  モバイルデバイス写真撮影スキャンに対応する位置決め調整装置
２００  モバイルデバイス
１  本体
１１  頂面
１１Ａ  斜面
１１１  ストップバー
１３  導引口
１５  導引カバー
１５１  開口
１１０  スキャンを待つ物件
３  昇降ユニット
３１  スタンドポール
３３  昇降プラットホーム
３３１  スライドフレーム
３３２  殼体
３３２ａ  貫通部
３３２ｂ  凸部
３３３  連接アーム
３３４  リブ板
３３５  搭載台
３３７  透明板
３３５ａ  窓部
３３５ｂ  枠縁
３５  昇降機構
３５１  ラックギア
３５３  ギアシャフト
３５５  ダイヤル
４  引き出し型細断紙収集箱
５  延伸板
５１  延伸ストップバー
６  トリガースイッチ
Ａ  スキャンを待つ物件セットエリア
【図１】
0003215405.tif 000003
【図２】
0003215405.tif 000004
【図３】
0003215405.tif 000005
【図４】
0003215405.tif 000006
【図５】
0003215405.tif 000007
【手続補正書】
【提出日】平成29年11月15日(2017.11.15)
【手続補正１】
【補正対象書類名】実用新案登録請求の範囲
【補正対象項目名】全文
【補正方法】変更
【補正の内容】
【実用新案登録請求の範囲】
【請求項１】
モバイルデバイス写真撮影スキャンに対応する位置決め調整装置であって、本体、昇降ユニットを有し、
前記本体の頂面上には、スキャンを待つ物件を置くことができ、
前記昇降ユニットは、スタンドポール、昇降プラットホーム、昇降機構を有し、
前記スタンドポールは、前記本体の長さ方向の片側に固定し、前記スタンドポールの一部分は、前記本体の頂面より高く、
前記昇降プラットホームは、前記本体の頂面の上に位置し、少なくともスライドフレーム、連接アームと搭載台により構成され、前記連接アームは、前記スライドフレームと前記搭載台の間に連接し、前記スライドフレームは、前記スタンドポールを嵌め入れ、前記搭載台には、窓部を開設し、モバイルデバイスは、前記搭載台の上に置き、前記モバイルデバイスは、少なくとも撮影レンズを配備し、前記撮影レンズは、前記窓部に対応し、
前記昇降機構は、ラックギア式昇降機構で、前記スライドフレームは、前記昇降機構により、前記スタンドポールに沿って上下移動し、前記昇降機構のラックギアは、前記スタンドポールの片側面上に設置され、前記昇降機構のギアシャフトは、前記スライドフレーム内に固定して設置され、ラックギアに噛み合い、
前記ギアシャフトが回されると、前記スライドフレームはギアシャフトに従い、ラックギアに沿って移動することを特徴とするモバイルデバイス写真撮影スキャンに対応する位置決め調整装置。
【請求項２】
前記スキャンを待つ物件は、紙、ドキュメント、物品であることを特徴とする請求項１に記載のモバイルデバイス写真撮影スキャンに対応する位置決め調整装置。
【請求項３】
前記頂面上にさらに２個のストップバーを設置し、
前記２個のストップバーは、前記本体の長さ方向に沿って対応設置を呈し、前記２個のストップバーは、前記本体の対応する両側縁に接近し、
前記２個のストップバーの間は、スキャンを待つ物件セッットエリアであることを特徴とする請求項１に記載のモバイルデバイス写真撮影スキャンに対応する位置決め調整装置。
【請求項４】
前記ギアシャフトの軸心は、連接ダイヤルであることを特徴とする請求項１に記載のモバイルデバイス写真撮影スキャンに対応する位置決め調整装置。
【請求項５】
前記連接アームと搭載台は、一体成形で、しかも前記連接アームは、Ｌ型を呈し、前記連接アームの垂直部は、前記スライドフレーム上に固定され、前記連接アームの水平部は、前記搭載台の辺縁から前記スタンドポール方向へと水平に延伸して設置されることを特徴とする請求項１に記載のモバイルデバイス写真撮影スキャンに対応する位置決め調整装置。
【請求項６】
前記搭載台の辺縁には、枠縁を形成することを特徴とする請求項１に記載のモバイルデバイス写真撮影スキャンに対応する位置決め調整装置。
【請求項７】
前記モバイルデバイス写真撮影スキャンに対応する位置決め調整装置は透明板をさらに有し、
前記透明板は、前記搭載台の上に設置され、前記枠縁に制限されることを特徴とする請求項６に記載のモバイルデバイス写真撮影スキャンに対応する位置決め調整装置。
【請求項８】
前記透明板の材質は、ガラス、プラスチック或いはアクリルであることを特徴とする請求項７に記載のモバイルデバイス写真撮影スキャンに対応する位置決め調整装置。
【請求項９】
前記スライドフレームは、対称の両側殼体を組み合わせて形成し、前記両側殼体中には、前記スタンドポールの外輪郭に対応した貫通部とギアセットを収容するギア収容設置部を共同で形成し、
前記スライドフレームの、前記スタンドポールに対応する、ラックギアを設置する片側面には、凸部を形成し、半円形を呈し、
前記ギア収容設置部は、前記凸部内に位置することを特徴とする請求項１に記載のモバイルデバイス写真撮影スキャンに対応する位置決め調整装置。
【請求項１０】
前記頂面にはさらに導引口を設置し、
前記導引口は、前記スキャンを待つ物件と間隔を有し、前記頂面は、前記導引口の前記スキャンを待つ物件の片側或いは両側に対応し、さらに斜面を形成することを特徴とする請求項１に記載のモバイルデバイス写真撮影スキャンに対応する位置決め調整装置。
【請求項１１】
前記モバイルデバイス写真撮影スキャンに対応する位置決め調整装置は、さらにシュレッダーを設置し、
前記シュレッダーは、前記本体内に設置し、
前記シュレッダーの細断口はちょうど前記導引口に対応することを特徴とする請求項１０に記載のモバイルデバイス写真撮影スキャンに対応する位置決め調整装置。
【請求項１２】
前記モバイルデバイス写真撮影スキャンに対応する位置決め調整装置はさらに導引カバーを設置し、
前記導引カバーは、前記導引口の上を覆い、前記導引カバーは、前記スキャンを待つ物件の側に近接し開口を設置し、前記導引カバーは弧状部を有することを特徴とする請求項１１に記載のモバイルデバイス写真撮影スキャンに対応する位置決め調整装置。
【請求項１３】
前記モバイルデバイス写真撮影スキャンに対応する位置決め調整装置は、引き出し型細断紙收集箱をさらに有し、
前記引き出し型細断紙收集箱は、前記本体内に設置し、前記シュレッダーの紙アウトプット口の下方に位置することを特徴とする請求項１２に記載のモバイルデバイス写真撮影スキャンに対応する位置決め調整装置。
【請求項１４】
前記モバイルデバイス写真撮影スキャンに対応する位置決め調整装置は折り畳み可能な延伸板をさらに有し、
前記延伸板は、前記本体の片側に設置し、前記延伸板の展開時に、前記延伸板の頂面と前記本体の頂面とはフラットになり、前記延伸板の頂面には、２個の延伸ストップバーを設置し、前記２個の延伸ストップバーは、２個のストップバーに対応して設置されることを特徴とする請求項１に記載のモバイルデバイス写真撮影スキャンに対応する位置決め調整装置。
【請求項１５】
前記モバイルデバイス写真撮影スキャンに対応する位置決め調整装置は、トリガースイッチをさらに有し、
前記トリガースイッチの作動時には伝送方式を通して、写真撮影コマンドを、前記モバイルデバイスに発信し、
前記伝送方式は、有線伝送方式或いは無線伝送方式を含むことを特徴とする請求項１に記載のモバイルデバイス写真撮影スキャンに対応する位置決め調整装置。
【手続補正書】
【提出日】平成30年1月11日(2018.1.11)
【手続補正１】
【補正対象書類名】実用新案登録請求の範囲
【補正対象項目名】全文
【補正方法】変更
【補正の内容】
【実用新案登録請求の範囲】
【請求項１】
モバイルデバイス写真撮影スキャンに対応する位置決め調整装置であって、本体、昇降ユニットを有し、
前記本体の頂面上には、スキャンを待つ物件を置くことができ、
前記昇降ユニットは、スタンドポール、昇降プラットホーム、昇降機構を有し、
前記スタンドポールは、前記本体の長さ方向の片側に固定し、前記スタンドポールの一部分は、前記本体の頂面より高く、
前記昇降プラットホームは、前記本体の頂面の上に位置し、少なくともスライドフレーム、連接アームと搭載台により構成され、前記連接アームは、前記スライドフレームと前記搭載台の間に連接し、前記スライドフレームは、前記スタンドポールを嵌め入れ、前記搭載台には、窓部を開設し、モバイルデバイスは、前記搭載台の上に置き、前記モバイルデバイスは、少なくとも撮影レンズを配備し、前記撮影レンズは、前記窓部に対応し、
前記昇降機構は、ラックギア式昇降機構で、前記スライドフレームは、前記昇降機構により、前記スタンドポールに沿って上下移動し、前記昇降機構のラックギアは、前記スタンドポールの片側面上に設置され、前記昇降機構のギアシャフトは、前記スライドフレーム内に固定して設置され、ラックギアに噛み合い、
前記ギアシャフトが回されると、前記スライドフレームはギアシャフトに従い、ラックギアに沿って移動することを特徴とするモバイルデバイス写真撮影スキャンに対応する位置決め調整装置。
【請求項２】
前記スキャンを待つ物件は、紙、ドキュメント、物品であることを特徴とする請求項１に記載のモバイルデバイス写真撮影スキャンに対応する位置決め調整装置。
【請求項３】
前記頂面上にさらに２個のストップバーを設置し、
前記２個のストップバーは、前記本体の長さ方向に沿って対応設置を呈し、前記２個のストップバーは、前記本体の対応する両側縁に接近し、
前記２個のストップバーの間は、スキャンを待つ物件セッットエリアであることを特徴とする請求項１に記載のモバイルデバイス写真撮影スキャンに対応する位置決め調整装置。
【請求項４】
前記ギアシャフトの軸心は、連接ダイヤルであることを特徴とする請求項１に記載のモバイルデバイス写真撮影スキャンに対応する位置決め調整装置。
【請求項５】
前記連接アームと搭載台は、一体成形で、しかも前記連接アームは、Ｌ型を呈し、前記連接アームの垂直部は、前記スライドフレーム上に固定され、前記連接アームの水平部は、前記搭載台の辺縁から前記スタンドポール方向へと水平に延伸して設置されることを特徴とする請求項１に記載のモバイルデバイス写真撮影スキャンに対応する位置決め調整装置。
【請求項６】
前記搭載台の辺縁には、枠縁を形成することを特徴とする請求項１に記載のモバイルデバイス写真撮影スキャンに対応する位置決め調整装置。
【請求項７】
前記モバイルデバイス写真撮影スキャンに対応する位置決め調整装置は透明板をさらに有し、
前記透明板は、前記搭載台の上に設置され、前記枠縁に制限されることを特徴とする請求項６に記載のモバイルデバイス写真撮影スキャンに対応する位置決め調整装置。
【請求項８】
前記透明板の材質は、ガラス、プラスチック或いはアクリルであることを特徴とする請求項７に記載のモバイルデバイス写真撮影スキャンに対応する位置決め調整装置。
【請求項９】
前記スライドフレームは、対称の両側殼体を組み合わせて形成し、前記両側殼体中には、前記スタンドポールの外輪郭に対応した貫通部とギアセットを収容するギア収容設置部を共同で形成し、
前記スライドフレームの、前記スタンドポールに対応する、ラックギアを設置する片側面には、凸部を形成し、半円形を呈し、
前記ギア収容設置部は、前記凸部内に位置することを特徴とする請求項１に記載のモバイルデバイス写真撮影スキャンに対応する位置決め調整装置。
【請求項１０】
前記頂面にはさらに導引口を設置し、
前記導引口は、前記スキャンを待つ物件と間隔を有し、前記頂面は、前記導引口の前記スキャンを待つ物件の片側或いは両側に対応し、さらに斜面を形成することを特徴とする請求項１に記載のモバイルデバイス写真撮影スキャンに対応する位置決め調整装置。
【請求項１１】
前記モバイルデバイス写真撮影スキャンに対応する位置決め調整装置は、さらにシュレッダーを設置し、
前記シュレッダーは、前記本体内に設置し、
前記シュレッダーの細断口はちょうど前記導引口に対応することを特徴とする請求項１０に記載のモバイルデバイス写真撮影スキャンに対応する位置決め調整装置。
【請求項１２】
前記モバイルデバイス写真撮影スキャンに対応する位置決め調整装置はさらに導引カバーを設置し、
前記導引カバーは、前記導引口の上を覆い、前記導引カバーは、前記スキャンを待つ物件の側に近接し開口を設置し、前記導引カバーは弧状部を有することを特徴とする請求項１１に記載のモバイルデバイス写真撮影スキャンに対応する位置決め調整装置。
【請求項１３】
前記モバイルデバイス写真撮影スキャンに対応する位置決め調整装置は、引き出し型細断紙收集箱をさらに有し、
前記引き出し型細断紙收集箱は、前記本体内に設置し、前記シュレッダーの紙アウトプット口の下方に位置することを特徴とする請求項１２に記載のモバイルデバイス写真撮影スキャンに対応する位置決め調整装置。
【請求項１４】
前記モバイルデバイス写真撮影スキャンに対応する位置決め調整装置は折り畳み可能な延伸板をさらに有し、
前記延伸板は、前記本体の片側に設置し、前記延伸板の展開時に、前記延伸板の頂面と前記本体の頂面とはフラットになり、前記延伸板の頂面には、２個の延伸ストップバーを設置し、前記２個の延伸ストップバーは、前記２個のストップバーに対応して設置されることを特徴とする請求項３に記載のモバイルデバイス写真撮影スキャンに対応する位置決め調整装置。
【請求項１５】
前記モバイルデバイス写真撮影スキャンに対応する位置決め調整装置は、トリガースイッチをさらに有し、
前記トリガースイッチの作動時には伝送方式を通して、写真撮影コマンドを、前記モバイルデバイスに発信し、
前記伝送方式は、有線伝送方式或いは無線伝送方式を含むことを特徴とする請求項１に記載のモバイルデバイス写真撮影スキャンに対応する位置決め調整装置。